(57)【要約】【課題】  エレベータの戸の案内脚の調整範囲を拡大できるようにしたエレベータの戸の案内装置を提供する。【解決手段】  エレベータの戸３の下端部に取り付けられた取付金１１及びこの取付金の下端部に設けられた摺動片１２からなる案内脚１０と、案内脚の下端部の摺動片を摺動案内する案内溝８ａを有する敷居８とを備えたものにおいて、摺動片に複数の取付板１５を設けるとともに、案内脚１０の取付金１１を複数の取付板１５のうち、互いに隣接する相互間に選択的に配置して固定する。【選択図】    図２
2006206216.tif 000002
【特許請求の範囲】
【請求項１】
エレベータの戸の下端部に取り付けられた取付金及びこの取付金の下端部に設けられた摺動片からなる案内脚と、前記案内脚の下端部の摺動片を摺動案内する案内溝を有する敷居とを備えたエレベータの戸の案内装置において、
前記摺動片に複数の取付板を設けるとともに、前記案内脚の取付金を前記複数の取付板のうち、互いに隣接する相互間に選択的に配置して固定することを特徴とするエレベータの戸の案内装置。
【請求項２】
複数の取付板はその上端部が摺動片の上面より突出して設けられ、その上端突出部には締結具を挿入する貫通穴が設けられ、また、案内脚の取付金の下端部には前記締結具を挿入する貫通穴が設けられ、前記複数の取付板の上端部と前記案内脚の取付金の下端部は、前記各貫通穴を通して前記締結具により互いに締結固定されることを特徴とする請求項１記載のエレベータの戸の案内装置。
【請求項３】
複数の取付板は摺動片内に収容され、その中央部には締結具を挿入する貫通穴が設けられ、また、案内脚の取付金の下端部には前記締結具を挿入する貫通穴が設けられ、更に前記摺動片の両側には前記締結具の頭部を収容する凹部と締結具を挿入する貫通穴とが設けられ、前記複数の取付板と前記案内脚の取付金の下端部は、前記摺動片の両側から前記各貫通穴を通して前記締結具により互いに締結固定されることを特徴とする請求項１記載のエレベータの戸の案内装置。
【発明の詳細な説明】
【技術分野】
【０００１】
この発明は、エレベータの戸の下端部を案内するエレベータの戸の案内装置に関するものである。
【背景技術】
【０００２】
従来、エレベータの戸の案内装置は、図６及び図７に示すように、乗場床に敷設された敷居８に案内溝８ａが凹設され、乗場の戸３の下端部に案内脚１０の上端である平板状の取付金１１がボルト等の締結具１４により固着されており、この案内脚１０の下端である摺動片１２が敷居８の案内溝８ａに収納されている。そして、乗場の戸３はドア駆動機（図示せず）によって駆動され、乗場出入口を開閉する。この時、乗場の戸３の下端は摺動片１２が敷居８の案内溝８ａ内を摺動することによって案内される。なお、案内脚１０の取付位置は、案内脚１０の平板状の取付金１１及び締結具１４の相互間に介装される調整片１３の挿入枚数により調整される（例えば、特許文献１参照）。
【０００３】
【特許文献１】実開昭５４−１６３４７１号公報（第３図、第４図）
【発明の開示】
【発明が解決しようとする課題】
【０００４】
しかし、従来のエレベータの戸の案内装置では、案内脚１０を乗場の戸３の下端部に取り付ける際、調整片１３によって取付位置を調整しているため、調整できる範囲が限られてしまうという問題があった。
【０００５】
この発明は上記課題を解決するためになされたものであり、案内脚の調整範囲を拡大できるようにしたエレベータの戸の案内装置を提供することを目的とする。
【課題を解決するための手段】
【０００６】
この発明に係るエレベータの戸の案内装置は、エレベータの戸の下端部に取り付けられた取付金及びこの取付金の下端部に設けられた摺動片からなる案内脚と、案内脚の下端部の摺動片を摺動案内する案内溝を有する敷居とを備えたものにおいて、摺動片に複数の取付板を設けるとともに、案内脚の取付金を複数の取付板のうち、互いに隣接する相互間に選択的に配置して固定するものである。
【発明の効果】
【０００７】
この発明は、摺動片に複数の取付板を設けるとともに、案内脚の取付金を複数の取付板のうち、互いに隣接する相互間に選択的に配置して固定するようにしたので、案内脚の調整範囲を更に拡大することができるという効果がある。
【発明を実施するための最良の形態】
【０００８】
実施の形態１．
図１はこの発明の実施の形態１におけるエレベータの戸の案内装置を示す昇降路側から見た乗場の戸の正面図、図２はこの発明の実施の形態１におけるエレベータの戸の案内装置を示す要部拡大断面図、図３はこの発明の実施の形態１におけるエレベータの戸の案内装置を示す要部斜視図である。
【０００９】
図１において、１は昇降路乗場側の建物の壁、２は壁１に設けられた乗場出入口、３は乗場出入口２の昇降路側（図１の手前側）に配置された乗場の戸、４は乗場の戸３の上端に固定されたドアハンガ、５はドアハンガ４の上部に装着されたハンガローラ、６は乗場出入口２の上方の壁１に固定されたハンガケース、７はハンガケース６に固定されて横通しされ、ハンガローラ５を案内するドアレール、８は乗場床に敷設された敷居で、案内溝８ａが凹設されている。９は乗場の戸３の下端部に固着された下部補強部材、１０は下部補強部材９に取り付けられる案内脚で、下部補強部材９に取り付けられる平板状の取付金１１と、その下端部に固着された摺動片１２から成っており、取付金１１の上端は調整片１３を介してボルト等の締結具１４で下部補強部材９に締結され、取付金１１の下端部には別の締結具１７を挿入する貫通穴が設けられている。また、摺動片１２は敷居８の案内溝８ａに収納されている。そして、乗場の戸３はドアハンガ４及びハンガローラ５によってドアレール７に懸架され、ドア駆動機（図示せず）によって駆動されると、ハンガローラ５はドアレール７上を転動して、乗場の戸３は乗場出入口２を開閉する。この時、乗場の戸３の下端は摺動片１２が敷居８の案内溝８ａ内を摺動することによって案内される。案内脚１０の取付位置は、調整片１３の挿入枚数によって調整される。
なお、乗場の戸３について説明したが、かごの戸であっても適用可能であることは勿論である。
【００１０】
次に、図２及び図３によりこの発明の案内脚１０の詳細構造について説明する。
１５ａ〜１５ｄは敷居８の案内溝８ａ内を摺動する摺動片１２の上部に取付金１１とほぼ同等の間隔で固着された複数の取付板である。この複数の取付板１５ａ〜１５ｄの上端部は摺動片１２の上面より突出しており、その上端突出部には貫通穴がそれぞれ設けられている。そして、複数の取付板１５ａ〜１５ｄの上端部と平板状の取付金１１の下端部は、上記各貫通穴を通してボルト等の締結具１７とナット１８とにより取付金１１の下端部において互いに締結固定されている。なお、複数の取付板１５ａ〜１５ｄの相互間であって上記取付金１１が位置しない締結具１７の挿通部分の周りには、座１６がそれぞれ設けられ、これにより締結時における複数の取付板１５ａ〜１５ｄの取付間隔を均等に保つようにしている。
【００１１】
上記のように構成されたエレベータの戸の案内装置においては、取付金１１を、図２に示す取付板１５ｃと１５ｄの間の取付位置から、例えば取付板１５ｃと１５ｂの間に移動させることにより、乗場の戸３を表裏方向へ変位させることができる。
【００１２】
実施の形態２．
図４はこの発明の実施の形態２におけるエレベータの戸の案内装置を示す要部拡大断面図、図５はこの発明の実施の形態２におけるエレベータの戸の案内装置を示す要部斜視図である。図中、実施の形態１と同一又は相当部分には同一符号を付して説明を省略する。
【００１３】
摺動片１２は枠形状を呈しており、その表裏両面にはボルト等の締結具１７の頭部及びナット１８を収容する凹部１２ａとボルト等の締結具１７を挿入する貫通穴１２ｂとが設けられている。１５は枠形状の摺動片１２内に収容される複数の取付板で、平板状の取付金１１とほぼ同等の厚さを持っており、取付金１１を含む複数の取付板１５を一緒に重ね合わせることにより摺動片１２の枠形内に収容される。上記取付金１１の下端部には締結具１７を挿入する貫通穴が設けられている。また、複数の取付板１５の左右両側の上下方向中央部には貫通穴がそれぞれ設けられている。そして、複数の取付板１５と平板状の取付金１１の下端部は、上記各貫通穴を通じてボルト等の締結具１７とナット１８とにより取付金１１の下端部において互いに締結固定されている。この締結状態においては、摺動片１２の表裏両面の凹部１２ａ内にボルト等の締結具１７の頭部及びナット１８が収容される。
【００１４】
上記のように構成されたエレベータの戸の案内装置においては、取付金１１を、図４に示す左側から１番目の取付板１５と左側から２番目の取付板１５の間の取付位置から、例えば左側から２番目の取付板１５と左側から３番目の取付板１５の間に移動させることにより、乗場の戸３を表裏方向へ変位させることができる。
この実施の形態２によれば、複数の取付板１５のうち、選択された一枚の取付板を上下方向の長さを長くすることにより、平板状の取付金１１として兼用させることもできる。また、実施の形態１における座１６を不要にすることもできる。
【図面の簡単な説明】
【００１５】
【図１】この発明の実施の形態１におけるエレベータの戸の案内装置を示す昇降路側から見た乗場の戸の正面図である。
【図２】この発明の実施の形態１におけるエレベータの戸の案内装置を示す要部拡大断面図である。
【図３】この発明の実施の形態１におけるエレベータの戸の案内装置を示す要部斜視図である。
【図４】この発明の実施の形態２におけるエレベータの戸の案内装置を示す要部拡大断面図である。
【図５】この発明の実施の形態２におけるエレベータの戸の案内装置を示す要部斜視図である。
【図６】従来のエレベータの戸の案内装置を示す昇降路側から見た乗場の戸の斜視図である。
【図７】従来のエレベータの戸の案内装置を示す要部拡大断面図である。
【符号の説明】
【００１６】
１  昇降路乗場側の建物の壁
２  乗場出入口
３  乗場の戸
４  ドアハンガ
５  ハンガローラ
６  ハンガケース
７  ドアレール
８  敷居
８ａ  案内溝
９  下部補強部材
１０  案内脚
１１  取付金
１２  摺動片
１２ａ  凹部
１２ｂ  貫通穴
１３  調整片
１４  締結具（ボルト）
１５、１５ａ〜１５ｄ  取付板
１６  座
１７  締結具（ボルト）
１８  ナット
【図１】
2006206216.tif 000003
【図２】
2006206216.tif 000004
【図３】
2006206216.tif 000005
【図４】
2006206216.tif 000006
【図５】
2006206216.tif 000007
【図６】
2006206216.tif 000008
【図７】
2006206216.tif 000009